(57)【要約】【課題】少量の水と、その水を温める少ないガス消費量と、短時間で風呂釜の清掃作業が簡単にできると共に、すすぎ洗いによって湯垢などを自動的に排出でき、かつ最適な温度で洗浄できる。【解決手段】前面部１ａと上面部１ｂが開口された箱型の清掃具本体１に一定の水量を充填できる水室２を形成する。清掃具本体１は吸着盤３により浴槽９の壁面９ａに取り付けられる。浴槽９の吸入口１１および吐出口１０を隠蔽する。前面部１ａの開口端面に水密シール４を設ける。水室２内に水道水を供給する注出管５を設ける。【選択図】        図４
2004344559.tif 000002
【特許請求の範囲】
【請求項１】
前面部と上面部が開口された箱型の清掃具本体に一定の水量を充填できる水室を形成し、その清掃具本体は吸着盤により浴槽の壁面に取り付けられると共に、浴槽の吸入口および吐出口を隠蔽し、前面部の開口端面に水密シールを設け、水室内に水道水を供給する注出管を設けたことを特徴とする風呂釜清掃具。
【請求項２】
清掃具本体の背面部に水温計を取り付けてある請求項１に記載の風呂釜清掃具。
【発明の詳細な説明】
【０００１】
【産業上の利用分野】
本発明は、循環式風呂釜の清掃具に関するものである。
【０００２】
従来、一般家庭で使用されている循環式風呂釜は、浴槽の壁面の下部に設けた吸入口と上部に設けた吐出口を連結する屈曲管が釜内に配設されており、吸入口から風呂釜内に流入した水をバーナーで加熱し、その自然循環力によって温水を上部吐出口から吐出して、対流作用を繰り返すことにより湯を温めるようになっている。
【０００３】
この吸入口と吐出口を繋ぐ屈曲管は、浴槽内で生じた湯垢、髪の毛、石鹸かすなどの湯ドロが付着堆積しやすく、これを放置しておくと悪臭の発生原因になり不衛生であると共に、加熱効率が低下することから定期的に清掃をしなければならない。
【０００４】
この清掃する方法としては、図９に示すように、吐出口３０の上まで湯を張った状態にし、吸入口３１に洗浄剤入りの蛇腹容器本体２１の先端部を嵌合させ、蛇腹容器本体２１の底部を数回押圧することにより、蛇腹状胴部が伸縮して内部に充填された洗浄剤と共に湯水が注出され屈曲管を洗浄するというものである。（例えば、特許文献１参照）
【０００５】
また、別の方法としては、一端部を水栓に直結したホースの他端部にノズルを設け、このノズルを循環パイプの吸入口に嵌入し、水道水の水圧を利用して湯垢を洗浄する方法がある。（例えば、特許文献２参照）
【０００６】
【特許文献１】
特許第１１５９７６９号公報
【特許文献２】
実開平５−４５４９５号公報
【０００７】
【発明が解決しようとする課題】
しかしながら、前記特許文献１の蛇腹容器本体２１による洗浄は、湯が吐出口３０の上部まで入っていなければならないため、残り湯の状態で行うのが普通であり、風呂の使用後に限られている。また、蛇腹容器本体２１を吸入口３１に嵌合するのに、湯の中に手を入れて嵌合させなければならず、上着の袖口を捲り上げて行っているが、その嵌合が容易でなく、袖口を濡らしたりすることがある。
さらに、蛇腹容器本体２１の底部を押圧する時に強い力で何回も押圧する必要があり、その操作時には身体を曲げて無理な姿勢で行うことから作業がし難かった。
【０００８】
また、残り湯が冷めた低温では汚れを充分除去し難いことから、蛇腹容器本体２１の洗浄剤が噴出されると、バーナーで加熱し湯を温めなければならず、残り湯は吐出口３０の上部まで多量に入っていることから、温めるのに長い時間がかかり、ガスの消費量が多くなり不経済になると言った問題点があった。
【０００９】
前記特許文献２の水道水による洗浄は、差し込まれた近くの限られた部分しか汚れが取れないと言った問題点があった。
【００１０】
本発明は、このような問題を解決することを課題として研究開発されたものであって、少量の水と、その水を温める少ないガス消費量と、短時間で風呂釜の清掃作業が簡単にできると共に、すすぎ洗いによって湯垢などを自動的に排出でき、かつ最適な温度で洗浄できる風呂釜清掃具を提供することを目的とするものである。
【００１１】
【課題を解決するための手段】
上記の課題を解決し、その目的を達成するために、本発明は、前面部と上面部が開口された箱型の清掃具本体に一定の水量を充填できる水室を形成し、その清掃具本体は吸着盤により浴槽の壁面に取り付けられると共に、浴槽の吸入口および吐出口を隠蔽し、前面部の開口端面に水密シールを設け、水室内に水道水を供給する注出管を設けたことを特徴とする風呂釜清掃具を開発し、採用した。
【００１２】
また、本発明は、上記のように構成した風呂釜清掃具において、清掃具本体の背面部に水温計を取り付けてある風呂釜清掃具を開発し、採用した。
【００１３】
【発明の実施の形態】
以下に、本発明における実施の形態を添付図面に基づいて説明すれば、１は縦長の箱型清掃具本体で、前面部１ａと上面部１ｂがそれぞれ開口されており、後面部１ｃ，下面部１ｄおよび両側面部１ｅ，１ｅが囲撓壁部とした長方形状のもので、その内面に２〜３リットルの水量が充填される水室２を形成してある。
【００１４】
３は清掃具本体１を浴槽壁面に取り付ける吸着盤で、この吸着盤３は、椀状の吸着部３ａと、該吸着部３ａの頂部に突出して形成した支持部３ｂと、前記吸着部３ａの外周に突出した剥離摘み部３ｃと、その剥離摘み部３ｃに結んだ引張り紐３ｄにより構成されており、水室２内の高さ方向の略中央部で、幅方向に２個設けてある。
【００１５】
４は前面部１ａの開口端面に設けた合成樹脂やゴムなどの弾性材からなる水密シールであり、浴槽の壁面と密接するようになっており、湯水が清掃具本体１内に充填された時に漏れないようになっている。
【００１６】
５は水室２内の下部に設けた水道水を供給する注出管であり、釜洗浄して湯垢などが剥離されて、すすぎ洗いを行う時に水栓６に連結したホース７の一端部を繋ぎ水道水を供給するものである。
【００１７】
８は清掃具本体１の背面側に取り付けてある湯水を測定する水温計であり、適温となる安全範囲の温度を青色ゾーン、注意範囲の温度を黄色ゾーン、危険範囲の温度を赤色ゾーンの表示を施してしてあり、最適な温度を確認しながら釜の清掃ができる。
【００１８】
このように構成した本発明の実施の形態１の使用状態を作用、効果と共に説明すれば、図５に示すように、浴槽９の壁面９ａに穿設された上部の吐出口１０と下部の吸入口１１を覆うようにして清掃具本体１を壁面９ａに取り付ける。この時、吸着盤３，３を押し付けるだけで、ワンタッチで取り付けることができる。
吸着盤３，３は幅方向に２個設けてあるから、壁面９ａに強固に取り付けることができ外れることがない。また、前面部１ａの開口端面に水密シール４を設けたので、壁面９ａに隙間なくピッタリ密着した状態で取り付けられ、充填される湯水が漏水することがない。
【００１９】
そして、壁面９ａに取り付けた状態で注出管５に蓋５’などをして水または湯を上面１ｂの開口から注入すると、水室２および屈曲管内は５〜６リットル程度で充満する。その後、洗浄剤を入れバーナーを着けて加熱することにより、吸入口１１から吐出口１０を経て水室２を循環するので、屈曲管の内面に付着した湯垢などを取り除くことができる。このように従来と比べて洗浄水は極めて少量ですみ、ガス消費量も少なく、且つ洗浄時間も短くなるので省エネになり経済的である。また、水温計８が清掃具本体１の背面部に取り付けてあるから、最適な温度を確認しながら洗浄できる。
【００２０】
洗浄後、すすぎ洗いをする時は、図６に示すように、一端部を水栓６に連結したホース７の他端部を注出管５に繋ぎ、水道水を注入しながら追焚きすれば、水室２が充満し湯垢などの汚染物質や汚水が上面１ｂの開口から溢れ出て浴槽吐出口（図示せず）から排出される。
【００２１】
そして、清掃具本体１を壁面９ａから剥がす時には、吸着部３ａの外周に突出した剥離摘み部３ｃに結んだ引張り紐３ｄを引っ張ると簡単に剥がすことができる。この洗浄作業において使用する清掃具本体１が、小型で軽量であるから、取り扱いやすく、子供や老人などでも充分に使いこなすことができる。
【００２２】
図７は別の実施の形態を示すもので、前記実施の形態１は、自然循環釜すなわち、吐出口１０と吸入口１１が上下に離れているタイプであったが、この実施の形態では、吐出口１０と吸入口１１が左右隣接タイプあるいは内外二重に配置したタイプの強制循環釜の使用例を示している。
【００２３】
すなわち、浴槽９の壁面９ａに吐出口１０と吸入口１１が近接していることから、実施の形態１のように、清掃具本体１は縦方向に長くなくてもよいが、あまり小さくなると、湯水の容量が少なくなる事から適さない。清掃具本体１は、前面１ａと上面１ｂが開口されており、後面部１ｃ，下面部１ｄおよび両側面部１ｅ，１ｅが囲撓壁部に形成され、その内面に一定量の水量が充填される水室２を形成してある点および他の構成はいずれも前記実施の形態１と同じである。
【００２４】
以上、本発明の主要な実施の形態について説明したが、本発明は上記の実施の形態に限定されるものではなく、例えば、図８に示すように、吸着盤３，３を清掃具本体１の上部と下部に挿通する軸部１２，１２の両端部に取り付けることもあり、発明の目的を達成でき、かつ本発明の要旨を逸脱しない範囲内で種々の設計変更が可能であることは当然である。
【００２５】
【発明の効果】
以上のように、請求項１記載の風呂釜清掃具によれば、吸着盤によってワンタッチで浴槽の壁面に清掃具本体を取り付けることができると共に、水密シールにより清掃具本体と壁面は密着して水室内の湯水が漏れることがない。また、清掃具本体の上面を開口してあるので、水位の確認ができると共に、すすぎ洗い時の汚水を溢れ流すことができる。
【００２６】
また、従来のように、浴槽内に多量の湯水を張る必要がなく、清掃具本体の水室と屈曲管内に充填される少量の湯水で清掃でき、ガス消費量も少なく、時間の短縮化が図れて非常に経済的である。さらに、清掃具本体は軽量小型であることから、取り扱いが簡単で婦人は勿論のこと、子供や老人等でも使用できる。
【００２７】
また、請求項２記載の風呂釜清掃具によれば、前記請求項１記載の発明の効果に加えて、水温計によって最適の温度を確認しながら清掃でき、釜を傷めることがない。
【図面の簡単な説明】
【図１】清掃具本体の正面図である。
【図２】清掃具本体の平面図である。
【図３】清掃具本体の背面図である。
【図４】図１のＡ−Ａ線断面図である。
【図５】使用状態を示す簡略断面図である。
【図６】すすぎ洗いの状態を示す簡略断面図である。
【図７】別な実施の形態の使用状態を示す簡略断面図である。
【図８】別な吸着盤の使用例を示す平面図である。
【図９】従来例の使用状態を示す簡略断面図である。
【符号の説明】
１    清掃具本体
１ａ  前面部
１ｂ  上面部
１ｃ  後面部
１ｄ  下面部
１ｅ  側面部
２    水室
３    吸着盤
４    水密シール
５    水道水注出管
８    水温計
９    浴槽
９ａ  壁面
１０  吐出口
１１  吸入口
【図１】
2004344559.tif 000003
【図２】
2004344559.tif 000004
【図３】
2004344559.tif 000005
【図４】
2004344559.tif 000006
【図５】
2004344559.tif 000007
【図６】
2004344559.tif 000008
【図７】
2004344559.tif 000009
【図８】
2004344559.tif 000010
【図９】
2004344559.tif 000011